(57)【要約】【課題】      介護をする人の大きな力が必要でなく、かつ、浴槽に対するお湯又は水の供給及び排出が容易である入浴介護用ベッドシステムを提供すること。【解決手段】  本発明に係る入浴介護用ベッドシステム１００は、中央上部に人が寝ることができる大きさの収容空間を規定する上内周面を有する防水性のベッド基礎体１０１と、ベッド基礎体１０１の前記上内周面の底面に載置され空気又は水を収容する内部空間を規定する内周面を有する収縮可能な防水性のベッド本体１０２と、ベッド本体１０２の前記内部空間に対し空気又は水を注入及び排出する注入排出手段１０３、１０９と、ベッド基礎体１０１の前記収容空間に対しお湯又は水を供給及び排出する供給排出手段１０４、１１０と、を具備する。【選択図】      図１
2006150015.tif 000002
【特許請求の範囲】
【請求項１】
中央上部に人が寝ることができる大きさの収容空間を規定する上内周面を有する防水性のベンド基礎体と、
前記ベッド基礎体の前記上内周面の底面に載置され空気又は水を収容する内部空間を規定する内周面を有する収縮可能な防水性のベッド本体と、
前記ベッド本体の前記内部空間に対し空気又は水を注入及び排出する注入排出手段と、
前記ベッド基礎体の前記収容空間に対しお湯又は水を供給及び排出する供給排出手段と、
を具備する入浴介護用ベッドシステム。
【発明の詳細な説明】
【技術分野】
【０００１】  本発明は、老人及び病人等の入浴介護を必要とする人のための入浴介護用ベッドシステムに関するものである。
【背景技術】
【０００２】  従来の入浴介護用ベッドとして、特許文献１に記載されたものがある。この従来の入浴介護用ベッドは、ベッド本体のマットを、頭側マットと足側マットとに二分割し、該足側マットを着脱可能とし、かつ、前記足側マットの下方に浴槽を設置してなる。
【特許文献１】特開２００２−１１９５６８号公報
【発明の開示】
【発明が解決しようとする課題】
【０００３】  しかしながら、前記従来の入浴介護用ベッドは、浴槽から人を出す時に持ち上げる必要があるため介護をする人の大きな力が必要であり、かつ、浴槽に対するお湯又は水の供給及び排出が面倒であるという問題がある。【０００４】  本発明の目的は、介護をする人の大きな力が必要でなく、かつ、浴槽に対するお湯又は水の供給及び排出が容易である入浴介護用ベッドシステムを提供することである。
【課題を解決するための手段】
【０００５】  本発明に係る入浴介護用ベッドシステムは、中央上部に人が寝ることができる大きさの収容空間を規定する上内周面を有する防水性のベッド基礎体と、前記ベッド基礎体の前記上内周面の底面に載置され空気又は水を収容する内部空間を規定する内周面を有する収縮可能な防水性のベッド本体と、前記ベッド本体の前記内部空間に対し空気又は水を注入及び排出する注入排出手段と、前記ベッド基礎体の前記収容空間に対しお湯又は水を供給及び排出する供給排出手段と、を具備する構成を採る。
【発明の効果】
【０００６】  本発明によれば、ベッド本体の空気又は水を排出した場合にベッド基礎体及びベッド本体が浴槽を構成し、この浴槽からお湯又は水を排出した後にベッド本体に空気又は水を注入することにより前記浴槽から人を出すことができるから、前記浴槽から人を出す時に持ち上げる必要がないため入浴の介護をするのに介護をする人の大きな力が必要でない。【０００７】  また、本発明によれば、ベッド基礎体の収容空間にお湯又は水を供給及び排出する供給排出手段を具備するため、浴槽に対するお湯又は水の供給及び排出が容易である。
【発明を実施するための最良の形態】
【０００８】  次に、本発明の実施の形態について、図面を参照して詳細に説明する。【０００９】  （一実施の形態）
図１は、本発明の一実施の形態に係る入浴介護用ベッドシステムを示す略斜視図である。図２は、本発明の一実施の形態に係る入浴介護用ベッドシステムをベッドとして使用している状態を示す略断面図である。図３は、本発明の一実施の形態に係る入浴介護用ベッドシステムを浴槽として使用している状態を示す略断面図である。【００１０】  図１〜図３に示すように、本発明の一実施の形態に係る入浴介護用ベッドシステム１００は、防水性のベッド基礎体１０１、防水性のベッド本体１０２及び２つのポンプ１０３、１０４を具備している。【００１１】  ベッド基礎体１０１は、中央上部に上内周面１０５を有している。この上内周面１０５は、人が寝ることができる大きさの収容空間１０６を規定している。ベッド本体１０２は、ベッド基礎体１０１の上内周面１０５の底面に載置されている。ベッド本体１０２の側面は、上内周面１０５の側面と所定の離隔間隔だけ離隔されている。また、ベッド本体１０２は、空気又は水を収容する内部空間１０７を規定する内周面１０８を有する収縮可能なものである。【００１２】  ポンプ１０３とベッド本体１０２の内部空間１０８とは、注入排出管１０９により連通されている。注入排出管１０９の一端部は、ポンプ１０３に転結されている。また、注入排出管１０９の他端部は、ベッド本体１０２の底部に連結されている。また、注入排出管１０２の中間部は、ベッド基礎体１０１の下内部を貫通するように配置されている。ポンプ１０３は、注入排出管１０９を介してベッド本体１０２の内部空間１０７に対し空気を注入及び排出するものである。【００１３】  なお、ポンプ１０３は、注入排出管１０９を介してベッド本体１０２の内部空間１０８に対し水（又はお湯）を注入及び排出するように構成してもよい。【００１４】  ポンプ１０４とベッド基礎体１０１の収容空間１０４とは、液体注入排出管１１０により連通されている。液体注入排出管１１０の一端部は、ポンプ１０４に転結されている。また、液体注入排出管１１０の他端部は、ベッド基礎体１０１の収容空間１０４に配置されている。また、液体注入排出管１１０の中間部は、ベッド基礎体１０１の下内部を貫通するように配置されている。【００１５】  また、ポンプ１０４には、液体吸入排出管１１１が取り付けられている。ポンプ１０４は、ベッド基礎体１０１の収容空間１０４に対しお湯（又は水）を供給及び排出するものである。ポンプ１０４は、ベッド基礎体１０１の収容空間１０４に対しお湯（又は水）を供給する時に液体吸入排出管１１１を介して外部のお湯（又は水）を吸入する。また、ポンプ１０４は、ベッド基礎体１０１の収容空間１０４からお湯（又は水）を排出する時に、液体吸入排出管１１１を介して外部にお湯（又は水）を排出する。【００１６】  図２に示すように、ポンプ１０３が注入排出管１０９を介してベッド本体１０２の内部空間１０７に空気を注入して充満させた時には、ベッド本体１０２の上面に人が寝ることができる。【００１７】  入浴介護用ベッドシステム１００が図２に示す状態であって、ベッド本体１０２の上面に人が寝ている状態において、ポンプ１０３を作動させてポンプ１０３が注入排出管１０９を介してベッド本体１０２の内部空間��０７から空気を排出し、かつ、ポンプ１０４を作動させてポンプ１０４がベッド基礎体１０１の収容空間１０４に対しお湯（又は水）を供給すると、入浴介護用ベッドシステム１００が図３に示す状態となる。【００１８】  図３に示すように、ベッド基礎体１０１の収容空間１０４に収容されたお湯（又は水）１１２の上水面がベッド本体１０２の上面より所定間隔だけ上に位置するように、ポンプ１０４がベッド基礎体１０１の収容空間１０４に対しお湯（又は水）を供給する。【００１９】  この状態において、ベッド基礎体１０１及びベッド本体１０２は、浴槽を構成し、ベッド本体１０２の上面に寝ている人は入浴することができる。【００２０】  ベッド本体１０２の上面に寝ている人が入浴を終えた後には、ポンプ１０４を作動させてポンプ１０４がベッド基礎体１０１の収容空間１０４からお湯（又は水）１１２を排出するようにし、かつ、ポンプ１０３を作動させてポンプ１０３が注入排出管１０９を介してベッド本体１０２の内部空間１０７に空気を注入するようにすると、入浴介護用ベッドシステム１００が図２に示す状態となる。
【発明の利用可能性】
【００２１】  本発明は、浴槽から人を出す時に持ち上げる必要がないため入浴の介護をするのに介護をする人の大きな力が必要でなく、かつ、浴槽に対するお湯又は水の供給及び排出が容易である効果を有し、入浴介護用ベッドシステムに有用である。
【図面の簡単な説明】
【００２２】
【図１】本発明の一実施の形態に係る入浴介護用ベッドシステムを示す略斜視図
【図２】本発明の一実施の形態に係る入浴介護用ベッドシステムをベッドとして使用している状態を示す略断面図
【図３】本発明の一実施の形態に係る入浴介護用ベッドシステムを浴槽として使用している状態を示す略断面図
【符号の説明】
【００２３】  １００  入浴介護用ベッドシステム
１０１  ベッド基礎体
１０２  ベッド本体
１０３、１０４  ポンプ
【図１】
2006150015.tif 000003
【図２】
2006150015.tif 000004
【図３】
2006150015.tif 000005